(57)【要約】【課題】  本発明は、体外から骨折部位に超音波を照射して骨折の治療を促す超音波骨折治療器に関し、超音波が患者体内の狙った部位に確実に照射されていることを確認することができる超音波骨折治療器を提供する。【解決手段】  記憶部に記憶された参照波形と、受波部で新たに得られた電気信号由来の現状波形とを比較して参照波形と現状波形が所定の誤差の範囲内で一致するか否かを判定する判定部と、判定部による判定結果を患者に向けて通知する通知部とを備えた。【選択図】        図３
2014161435.tif 000002
【特許請求の範囲】
【請求項１】
電気エネルギーと超音波エネルギーとの間でのエネルギーの変換を担う超音波トランスデューサと、
骨折を患っている患者に宛てがわれた前記超音波トランスデューサに電気パルスを印加して、該超音波トランスデューサに、超音波パルスを該患者内に送波させる送波部と、
前記患者体内で反射して戻ってきた超音波パルスに起因する前記超音波トランスデューサの振動をピックアップして電気信号に変換する受波部と、
前記超音波トランスデューサから前記患者体内に送波された超音波パルスが該患者体内の骨折部位に照射された状態における、前記受波部で得られる前記電気信号由来の参照波形を記憶する記憶部と、
前記記憶部に記憶された参照波形と、前記受波部で新たに得られた前記電気信号由来の現状波形とを比較して該参照波形と該現状波形が所定の誤差の範囲内で一致するか否かを判定する判定部と、
前記判定部による判定結果を前記患者に向けて通知する通知部とを備えたことを特徴とする超音波骨折治療器。
【請求項２】
前記参照波形が前記記憶部に記憶された時点からの経過時間を測定する計時部を備え、
前記判定部が、前記経過時間の増大に応じて前記誤差の範囲を広げて、広げた誤差の範囲内で一致するか否かを判定するものであることを特徴とする請求項１記載の超音波骨折治療器。
【請求項３】
前記参照波形と前記現状波形との双方を表示する表示部をさらに備えたことを特徴とする請求項１又は２記載の超音波骨折治療器。
【請求項４】
前記超音波トランスデューサが、前記患者に宛がわれた状態における該患者体表に対し被患者体内に斜めに進行する超音波パルスを送波するものであることを特徴とする請求項１から３のうちいずれか１項記載の超音波骨折治療器。
【発明の詳細な説明】
【技術分野】
【０００１】
本発明は、体外から骨折部位に超音波を照射して骨折の治癒を促す超音波骨折治療器に関する。
【背景技術】
【０００２】
従来より骨折部位に超音波による刺激を加えると骨折の治癒が早まることが知られており、骨折部位に超音波を照射する超音波骨折治療器が開発されている。
【０００３】
例えば、特許文献１，２には、音響的インピーダンス整合層の剥離を検出する手段や温度検出手段を設けることにより超音波照射手段から体内に向けて超音波が確実に照射されているかどうかを検出する機能を備えた超音波治療装置が開示されている。
【０００４】
また、特許文献３，４には、体外から患部に向けて超音波を照射する超音波トランスデューサとは別に患部で反射した超音波を受信する超音波トランスデューサを備えることにより超音波が患部に照射されていることの確認や治癒効果診断を行なう機能を備えた治療装置が開示されている。
【先行技術文献】
【特許文献】
【０００５】
【特許文献１】特開２００４−１５４３０４号公報
【特許文献２】特開２００５−２７０５１０号公報
【特許文献３】国際特開ＷＯ２００８／０１８６１２号公報
【特許文献４】特開２００１−２９９７７２号公報
【発明の概要】
【発明が解決しようとする課題】
【０００６】
上掲の特許文献１，２に開示された技術は、超音波を体内に送り込む送信側に検出手段を設けて超音波が体内に送り込まれていることを推定するものであって、超音波が体内に実際に送り込まれていることを確信させるには不充分である。
【０００７】
これに対し、上掲の特許文献３，４に開示された技術は、送信用トランスデューサとは別に受信用トランスデューサを備えて反射超音波を受信する構成を備えているため、超音波が体内に実際に送り込まれていることが検出される。しかしながら、これら特許文献３，４に開示されている技術の場合、受信用トランスデューサを送信用トランスデューサとは別に、体表の適正な箇所に宛がう必要がある。このため超音波治療器の取扱いに慣れていない一般の骨折患者にとって取扱いが難しく、ここに開示された技術は病院等に出向いていって治療を受ける治療法にのみ適用可能な技術であり、広く普及させることが難しいという問題がある。
【０００８】
また、この特許文献３，４に提案された技術は、反射超音波が存在することは確認でき、したがって患者体内に超音波が照射されたことは確認できるが、その超音波がしっかりと骨折部位に照射されたか否かまでは推定の域を出ない。
【０００９】
本発明は、上記事情に鑑み、超音波が患者体内の狙った部位に確実に照射されていることを判定する超音波骨折治療器を提供することを目的とする。
【課題を解決するための手段】
【００１０】
上記目的を達成する本発明の超音波骨折治療器は、
電気エネルギーと超音波エネルギーとの間でのエネルギーの変換を担う超音波トランスデューサと、
骨折を患っている患者に宛てがわれた超音波トランスデューサに電気パルスを印加して、超音波トランスデューサに、超音波パルスを患者内に送波させる送波部と、
患者体内で反射して戻ってきた超音波パルスに起因する超音波トランスデューサの振動をピックアップして電気信号に変換する受波部と、
超音波トランスデューサから患者体内に送波された超音波パルスが患者体内の骨折部位に照射された状態における、受波部で得られる電気信号由来の参照波形を記憶する記憶部と、
記憶部に記憶された参照波形と、受波部で新たに得られた電気信号由来の現状波形とを比較して参照波形と現状波形が所定の誤差の範囲内で一致するか否かを判定する判定部と、
判定部による判定結果を患者に向けて通知する通知部とを備えたことを特徴とする。
【００１１】
本発明の超音波骨折治療器は、例えば医師や熟練した指導者等により患者の骨折部位に超音波を照射したときの波形を参照波形として記憶しておき、その参照波形と、患者自身で超音波を当てたときの現状波形が所定の誤差の範囲内で一致するか否かを判定して通知する機能を備えたため、患者自身はこの超音波骨折治療器の取扱いに不慣れであっても、骨折部位に超音波を確実に照射することができる。
【００１２】
ここで、本発明の超音波骨折治療器において、参照波形が記憶部に記憶された時点からの経過時間を測定する計時部を備え、判定部が、その経過時間の増大に応じて誤差の範囲を広げて、広げた誤差の範囲内で一致するか否かを判定するものであることが好ましい。
【００１３】
骨折は日を追うごとに治癒していき、それに応じて骨折部位からの反射超音波も日を追って変化していく。したがって現状波形が参照波形に対し一致しているか否かを判定するための許容誤差を一定にしておくと、日を追うごとに一致していることの判定が厳しいものとなっていくことが予想される。そこで、上記の経過時間の増大に応じて許容誤差の範囲を広げることで、一層使い勝手の良い超音波骨折治療器となる。
【００１４】
また、本発明の超音波骨折治療器において、上記の参照波形と上記の現状波形との双方を表示する表示部を備えることが好ましい。
【００１５】
参照波形と現状波形とを表示することにより、視覚的にもそれらの波形の一致の程度を通知し、患者に確かに骨折部位に超音波が照射されているという一層の安心感を与えることができる。
【００１６】
さらに本発明の超音波骨折治療器において、超音波トランスデューサは、患者に宛がわれた状態における、その患者の体表に対し患者体内に斜めに進行する超音波パルスを送波するものであってもよい。
【００１７】
骨折患者は骨折部位の回りにギプス包帯が巻かれ、骨折部位の直近から超音波を照射することができない場合がある。患者体表に対し斜めに進行する超音波パルスを送波する超音波トランスデューサを備えると、ギプス包帯から外れた箇所から骨折部位に超音波を当てることができる。ただし、超音波を斜めに当てるとなると、取扱いに慣れていない患者にとっては骨折部位に超音波をうまく照射できないケースが多発することが考えられる。本発明の超音波骨折治療器はこのような場合に特に有用であり、上記の判定部を備えて判定指示を通知することで、患者に正しい治療が行なわれていることを知らせ、安心感を与えることができる。
【発明の効果】
【００１８】
以上の本発明の超音波骨折治療器によれば、超音波が患者体内の狙った部位に確実に照射されていることが判定され、治療効果をあげることができる。
【図面の簡単な説明】
【００１９】
【図１】本発明の第１実施形態の超音波骨折治療器の概略構成を示したブロック図である。
【図２】メモリマップを示した図である。
【図３】患者が骨折部位への超音波照射を行なっているときの、ＣＰＵでの処理内容を示したフローチャートである。
【図４】表示器に表示される表示画面の第１例を示した図である。
【図５】表示器に表示される表示画面の第２例を示した図である。
【図６】本発明の第２実施形態の超音波骨折治療器の概略構成を示したブロック図である。
【図７】遅延プロファイルと超音波パルスビームとの関係を示す模式図である。
【図８】表示器での表示態様の第５例を示した図である。
【発明を実施するための形態】
【００２０】
以下、本発明の実施の形態を説明する。
【００２１】
図１は、本発明の第１実施形態の超音波骨折治療器の概略構成を示したブロック図である。
【００２２】
この図１に示す超音波骨折治療器１Ａは、治療器本体１０と超音波トランスデューサ２０とを有する。
【００２３】
超音波トランスデューサ２０は、患者２の体表に宛がわれ、患者２の体内の骨折部位３に向けて超音波を送波する。またこの超音波トランスデューサ２０は体内で反射して戻ってきた超音波により振動しその振動に応じた電気信号を生成する。
【００２４】
治療器本体１０は、パルス送信器１１、コンデンサ１２、ダイオード対１３、プリアンプ１４、可変ゲインアンプ１５、Ａ／Ｄコンバータ１６、ＣＰＵ１７、メモリ１８および表示器１９を備えている。
【００２５】
パルス送信器１１は、本発明にいう送波部の一例に相当するものである。このパルス送信器１１は、ＣＰＵ１７からの指示を受けて、超音波トランスデューサ２０に電気パルスを印加する。すると超音波トランスデューサ２０は、その電気パルスによる電気エネルギーを超音波振動エネルギーに変換して患者２の体内に超音波を送波する。
【００２６】
コンデンサ１２およびダイオード対１３は、パルス送信器１１から出力された電気パルスがそのままプリアンプ１４に印加されてプリアンプ１４を破壊するのを防止するためのものである。
【００２７】
超音波トランスデューサ２０から患者２の骨折患部３に送波された超音波は、患者２の体内で反射してその一部が超音波トランスデューサ２０に戻る。超音波トランスデューサ２０は、この反射超音波により振動してその振動エネルギーを電気エネルギーに変換する。超音波トランスデューサ２０で振動がピックアップされることにより得られた電気信号は、プリアンプ１４および可変ゲインアンプ１５で、次段のＡ／Ｄコンバータ１６でのＡ／Ｄ変換に適した振幅の信号にまで増幅される。可変ゲインアンプ１５で得られた電気信号はアナログの電気信号であって、この電気信号はＡ／Ｄコンバータ１６に入力されデジタル信号に変換されてＣＰＵ１７に取り込まれる。本実施形態では、コンデンサ１２、ダイオード対１３、プリアンプ１４、可変ゲインアンプ１５、およびＡ／Ｄコンバータ１６の組が、本発明にいう受波部の一例に相当する。ＣＰＵ１７では、後述する処理が実行され、その処理結果が表示器１９に表示される。
【００２８】
患者２は、その表示器１９に表示された波形を参照することで、超音波が骨折部位に向かい確実に送波されていることを確認することができる。
【００２９】
この超音波骨折治療器１Ａは、最初は骨折の治療を受けた病院等で使い方の指導を受け、その後この超音波骨折治療器１Ａをレンタルして自宅に持ち帰って、例えば一日一回など定期的に患部に超音波を当てるという使用法が想定されている。
【００３０】
そこで、病院等で使い方の指導を受け、その指導を受けている時点で超音波が骨折部位３に確実に当てられているという状況が作り出され、その時点の波形を取り込んでメモリ１８に記憶させておく。この時点の波形をここでは参照波形と称する。
【００３１】
図２は、図１に示すメモリのメモリマップを示した図である。
【００３２】
ここには、参照波形自身のほか、その参照波形をメモリ１８に記憶した年月日、および許容誤差が記憶される。指導者は、超音波トランスデューサ２０を体表に宛てがっては患者の骨折部位に超音波を照射して超音波トランスデューサ２０を体表から離す操作を何度か繰り返し、ＣＰＵ１７にはその繰り返しの間の複数の波形が取り込まれる。このときの波形は、超音波トランスデューサ２０を体表に宛てがうたびに少しずつ異なっている。ＣＰＵ１７ではそれら複数の波形のいずれもが骨折部位３に超音波が正しく当てられた波形であるとの認識の下に許容誤差が算出されて、その算出された許容誤差がメモリ１８に記憶される。
【００３３】
この超音波骨折治療器１Ａの取扱い方法について指導を受け、かつ参照波形の記憶処理が行なわれた後、患者はこの超音波骨折治療器１Ａを持って自宅に戻る。それ以降は患者自身の操作で骨折部位への超音波の照射が行なわれる。
【００３４】
図３は、患者が骨折部位への超音波照射を行なっているときの、ＣＰＵでの処理内容を示したフローチャートである。
【００３５】
図１に示す超音波骨折治療器１Ａに電源が投入されると、先ず、メモリ１８に記憶されている参照波形の読出し（ステップＳ０１）、許容誤差の読出し（ステップＳ０２）、およびこのメモリ１８に参照波形を記憶させた年月日の読出し（ステップＳ０３）が行なわれる。このＣＰＵ１７では現在時刻が管理されており、メモリ１８から読み出した年月日から本日までの経過日数が算出され（ステップＳ０４）、その経過日数に応じて許容誤差を増大させる方向に補正する（ステップＳ０５）。経過日数に応じて許容誤差をどのように増大させるか、という点については、骨折部位や骨折の複雑度等に応じて医師等の指導者によりあらかじめ設定されている。
【００３６】
ここまでの準備が終了すると、超音波トランスデューサ２０から超音波を照射すべくパルス送信器１１に向けて送波指示が行なわれ（ステップＳ０６）、この送波指示に起因する現状波形の入力待ちとなる（ステップＳ０７）。
【００３７】
現状波形が入力されると表示器１９への画面表示が行なわれる（ステップＳ０８）。
【００３８】
図４は、表示器に表示される表示画面の第１例を示した図である。
【００３９】
ここには、メモリ１８から読み出された参照波形（破線）と今回入力された現状波形（実線）との双方が示されている。この図４に示す第１例は、参照波形および現状波形とも反射超音波による超音波トランスデューサ２０の振動を表わす波形が採用されている。
【００４０】
図５は、表示器に表示される表示画面の第２例を示した図である。この第２例は、超音波トランスデューサ２０の振動のエンベロープ波形を採用した図である。この場合も、参照波形（破線）と現状波形（実線）とが表示されている。
【００４１】
図３のステップＳ０９では、参照波形に対する現状波形の誤差が算出される。
【００４２】
この誤差は、公知の様々な手法のいずれを採用してもよいが、例えば、横軸（時間軸）上の各点における、参照波形の値と現状波形の値との差分の絶対値の総和を誤差とすることができる。
【００４３】
このような誤差が算出された後、その算出された誤差と、許容誤差との大小関係が調べられる（ステップＳ１０）。ここで用いられる許容誤差は、ステップＳ０５で補正された後の許容誤差である。ステップＳ０９で算出された誤差が許容誤差以内のときは表示画面上にさらに「ＯＫ」マークが表示されて（ステップＳ１１）、ステップＳ０６に戻り次の送波指示が行なわれる。一方、ステップＳ０９で算出された誤差が許容誤差を越えているときは表示画面上に「ＮＧ」マークが表示されて（ステップＳ１２）、ステップＳ０６に戻る。この超音波骨折治療器を操作している患者は、「ＯＫ」マークが表示されると超音波トランスデューサ２０を現状の姿勢、位置に固定する。一方。「ＮＧ」マークが表示されたときは、「ＯＫ」マークが表示されるまで、超音波トランスデューサ２０の位置や姿勢の変更が繰り返される。
【００４４】
このように、現状波形が参照波形に許容誤差範囲で一致していることを表示することで、患者に骨折部位に確かに超音波が照射されているという安心感を与えるとともに、実際に骨折部位に超音波を適切に当てられるため治療効果を上げることができる。
【００４５】
また患者は、表示器１９に表示された現状波形と参照波形を見比べることで、超音波トランスデューサ２０の当てかたの工夫等が容易となり、「ＯＫ」マーク表示までの時間短縮に繋げることができる。
【００４６】
さらに、本実施形態では日数の修正に応じて許容誤差を増大させているため、骨折の治癒に応じて反射超音波の波形が変化しても正しい判定が行なわれる。
【００４７】
尚、ここでは「ＯＫ」マーク、「ＮＧ」マークを「表示」する旨、説明したが表示画面上への表示に代えて、緑色／赤色のランプの点灯、ブザーによる音の変化等、患者に通知が可能なものであればよい。
【００４８】
さらに、本実施形態では、表示部に現状波形と参照波形を表示しているが、表示は必ずしも必要ではなく、判定を行なって患者に通知すれば足りる。
【００４９】
図６は、本発明の第２実施形態の超音波骨折治療器の概略構成を示したブロック図である。
【００５０】
この図６に示す第２実施形態の超音波骨折治療器１Ｂにおいて、図１に示す第１実施形態の超音波骨折治療器１Ａの構成要素に対応する構成要素には、図１において付した符号と同一の符号を付して示し、相違点を中心に説明する。
【００５１】
この図６に示す超音波骨折治療器１Ｂは、治療器本体３０と超音波トランスデューサ４０とを備えている。
【００５２】
図１に示す超音波骨折治療器１Ａの超音波トランスデューサ２０は、単板の振動子で構成されているが、この図６に示す超音波骨折治療器１Ｂの超音波トランスデューサ４０は、複数の振動子４１の配列で構成されている。
【００５３】
これに対応して、治療器本体３０には、パルス送信器１１、コンデンサ１２、ダイオード対１３、プリアンプ１４、可変ゲインアンプ１５、およびＡ／Ｄコンバータ１６のセットからなる送受波部１００が、配列された振動子４１と同数、備えられている。１つの送受波部１００は１つの振動子４１にそれぞれ対応している。さらにこの図６に示す超音波骨折治療器１Ｂは、遅延制御部３１と遅延加算部３２を備えている。
【００５４】
遅延制御部３１は、ＣＰＵ１７の指示を受け、所定の遅延プロファイル（後述する）に従って、複数の送受波部１００にそれぞれ備えられている各パルス送信器１１からの電気パルス出力のタイミングを制御する。すると配列された複数の振動子４１の集合からなる超音波トランスデューサ４０から、その遅延プロファイルに従った方向であって、かつその遅延プロファイルに従った深さに焦点を持つ超音波パルスビームが送波される。本実施形態では、例えばこの図６に示されているように、超音波トランスデューサ４０から斜め方向に超音波パルスビームを照射することが行なわれる。
【００５５】
これは、例えばギプス包帯を避けて骨折部位に斜め方向から超音波を照射するためである。本実施形態ではさらに、斜め方向から超音波を照射することに伴い超音波トランスデューサ４０と骨折部位との間の距離が離れるため、ここでは超音波トランスデューサ４０と骨折部位３との間の距離に応じ、骨折部位に超音波が集中する（骨折部位３に焦点を合わせた）超音波ビームが照射される。
【００５６】
図７は、遅延プロファイルと超音波パルスビームとの関係を示す模式図である。
【００５７】
ここには、複数の振動子４１ａ，４１ｂ，４１ｃ，…，４１ｎ―１，４１ｎが配列されている。このとき、患者２の体内の１点Ｏ１に焦点を持つ超音波パルスビームを送波することを考える。このとき、焦点Ｏ１を中心とし、振動子４１ａ，４１ｂ，４１ｃ，…，４１ｎ―１，４１ｎのうちの焦点Ｏ１に最も近い振動子４１ｎと焦点Ｏ１とを結ぶ線分を半径とする円弧４２を描くと、各振動子４１ａ，４１ｂ，４１ｃ，…はその円弧４２からそれぞれ距離ｄａ１，ｄｂ１，ｄｃ１…だけ離れている。
【００５８】
そこで、各振動子４１ａ，４１ｂ，４１ｃ，…には、振動子４１ｎに電気パルスを印加するタイミングよりも、超音波が患者２の体内を距離ｄａ１，ｄｂ１，ｄｃ１…だけ進む時間ｔａ１，ｔｂ１，ｔｃ１…だけそれぞれ先立つ各タイミングで電気パルスを印加する。
【００５９】
言い換えると、振動子４１ａに電気パルスを印加する時刻を基準とすると、超音波が距離差（ｄａ１―ｄｂ１）だけ進む時間（ｔａ１―ｔｂ１）だけ遅れたタイミングで振動子４１ｂに電気パルスを印加し、超音波が距離差（ｄａ１―ｄｃ１）だけ進む時間（ｔａ１―ｔｃ１）だけ遅れたタイミングで振動子４１ｃに電気パルスを印加し…，超音波が距離差（ｄａ１―０）だけ進む時間（ｔａ１―０）だけ遅れたタイミングで振動子４１ｎに電気パルスを印加する。こうすると、各振動子４１ａ，４１ｂ，４１ｃ，…，４１ｎ―１，４１ｎから送波された超音波パルスが互いに干渉して、焦点Ｏ１を通り、その焦点Ｏ１で最も細いビーム径を持って患者２の体内を進む超音波パルスビームＢ１が生成される。このような、各振動子４１ａ，４１ｂ，４１ｃ，…，４１ｎ―１，４１ｎに印加する電気パルスの遅延のセットを送波側の遅延プロファイルと称する。
【００６０】
同様に焦点Ｏ２を通る超音波パルスビームＢ２を生成するには、焦点Ｏ２を中心とし、焦点Ｏ２と焦点Ｏ２から最も近い振動子４１ｃの間の距離を半径とする円弧４３を描く。そして、この円弧４３と各振動子４１ａ，４１ｂ，…との間の距離ｄａ２，…だけ超音波が進む時間を考慮して遅延プロファイルを決定し、各振動子４１ａ，４１ｂ，４１ｃ，…に印加する電気パルスをその遅延プロファイルに従って遅延させた上で各振動子４１ａ，４１ｂ，４１ｃ，…に印加する。こうすることにより焦点Ｏ２に向かい、焦点Ｏ２で最も細径に絞られた超音波パルスビームＢ２が生成される。
【００６１】
患者２の体内で反射して超音波トランスデューサ４０に戻ってきた超音波は、その超音波トランスデューサ４０を構成する複数の振動子４１のそれぞれでピックアップされて複数の送受波部１００にそれぞれ入力され、各電気信号に変換される。それら複数の電気信号は遅延加算部３２に入力される。この遅延加算部３２は入力された複数の電気信号を所定の遅延プロファイルに従って相対的に遅延して互いに加算する。こうすることで、反射超音波による患者体内の画像を表わす波形が生成される。
【００６２】
ここで再び図７を参照して、受波側の遅延プロファイルについて説明する。
【００６３】
点Ｏ１（焦点とは限らない）で反射して各振動子４１ａ，４１ｂ，４１ｃ，…，４１ｎ―１，４１ｎに向かって戻ってきた超音波が、それらの振動子４１ａ，４１ｂ，４１ｃ，…，４１ｎ―１，４１ｎのうちのその点Ｏ１に最も近い振動子４１ｎに到達したタイミングを考える。このとき振動子４１ｎを除く各振動子４１ａ，４１ｂ，４１ｃ，…に向かう反射超音波は、各振動子４１ａ，４１ｂ，４１ｃ，…からそれぞれ距離ｄａ１，ｄｂ１，ｄｃ１，…にある。そこで、振動子４１ｎで超音波がピックアップされて得られた電気信号は、超音波が最も遅く到達する振動子４１ａに超音波が到達するまで遅延させる。また例えば振動子４１ｃに関しては超音波が距離差（ｄａ１−ｄｃ１）進む時間だけ遅延させ、振動子４１ｂに関しては超音波が距離差（ｄａ１−ｄｂ１）進む時間だけ遅延させる。
【００６４】
各振動子４１ａ，４１ｂ，４１ｃ，…，４１ｎ―１，４１ｎで超音波をピックアップして得られた電気信号をそれぞれこのように遅延させて互いに加算すると、点Ｏ１での反射情報を捉えた電気信号が生成される。点Ｏ２からの反射超音波については円弧４２に代わり円弧４３を考慮して各振動子４１ａ，４１ｂ，４１ｃ，…で得られた電気信号の遅延を考えればよい。このような電気信号の遅延のセットを遅延プロファイルと称する。
【００６５】
ここで再度、図６に戻って説明を続ける。
【００６６】
遅延制御部３１における遅延プロファイルおよび遅延加算部３２における遅延プロファイルを循環的に変更して患者の体内を超音波ビームで走査すると、患者体内の断層像を得ることができる。このようにして作成された画像（断層像）を表わす電気信号は表示器１９に送られ、その表示器１９にその画像（断層像）が表示される。
【００６７】
図８は、表示器での表示態様の第５例を示した図である。
【００６８】
ここには、患者体内の断層像、すなわち超音波診断装置でいうＢモード像が示されている。このＢモード像には、患者２の骨折部位３の像３’が含まれている。
【００６９】
表示器１９にこのようなＢモード像を表示すると、骨折部位３の像３’を患者が確認しその骨折部位３に超音波が当てられていること、およびその骨折の治癒の程度を知ることができる。
【００７０】
また、この図８には、図４，図５の場合と同様、参照波形による断層像（破線）と現状波形（実線）との双方が示されている。
【００７１】
ここでは、参照波形による骨折部位の像３’と現状波形による像３”との比較が行なわれ、現状波形が、骨折部位に超音波が正しく照射されることにより得られた波形か否かの判定が行なわれる。
【００７２】
尚、この第２実施形態の超音波骨折治療器１Ｂでは、配列された複数の振動子４１からなる超音波トランスデューサ４０とそれに対応した回路構成を備えた治療器本体３０とにより、超音波の斜め照射を実現しているが、超音波の斜め照射は、図１に示すような単板の振動子からなる超音波トランスデューサ２０を採用して実現してもよい。例えば単板の振動子の体表に宛てがう面を斜めに向いた凹面とすることなどにより超音波を斜めに照射することが可能である。
【符号の説明】
【００７３】
１Ａ，１Ｂ    超音波骨折治療器
２    患者
３    骨折部位
３’，３”    像
８    メモリ
１０，３０    治療器本体
１１    パルス送信器
１２    コンデンサ
１３    ダイオード対
１４    プリアンプ
１５    可変ゲインアンプ
１６    Ａ／Ｄコンバータ
１７    ＣＰＵ
１８    メモリ
１９    表示器
２０，４０    超音波トランスデューサ
３１    遅延制御部
３２    遅延加算部
４１    振動子
１００    送受波部
【図１】
2014161435.tif 000003
【図２】
2014161435.tif 000004
【図３】
2014161435.tif 000005
【図４】
2014161435.tif 000006
【図５】
2014161435.tif 000007
【図６】
2014161435.tif 000008
【図７】
2014161435.tif 000009
【図８】
2014161435.tif 000010